【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
ネットワークを介して撮影転送装置が遠隔撮影制御装置からの指示に従い撮影を行う撮影システムにおいて、
前記撮影転送装置に設けられ、撮影手段によって撮影される被写体をユーザに確認させるためのファインダ画像を前記遠隔撮影制御装置に転送するファインダ画像転送手段と、
前記遠隔撮影制御装置に設けられ、前記ファインダ画像転送手段によって転送されたファインダ画像を表示するファインダ表示手段と、
前記遠隔撮影制御装置に設けられ、前記ファインダ表示手段によって表示されたファインダ画像に基づき発生された撮影指示に対応して、前記撮影転送装置へ撮影指示コマンドを送信する遠隔撮影制御手段と、
前記遠隔撮影制御装置に設けられ、前記撮影指示が発生されたときのファインダ画像から仮撮影画像を生成し、該仮撮影画像を特定する識別情報とともに記憶する仮撮影画像記憶手段と、
前記撮影転送装置に設けられ、前記撮影指示コマンドに基づき前記撮影手段によって撮影された撮影画像を、前記識別情報とともに記憶する撮影画像記憶手段と、
前記遠隔撮影制御装置に設けられ、前記仮撮影画像記憶手段によって記憶された複数の仮撮影画像のうち、指定された仮撮影画像に対応する識別情報を取り出して、該識別情報を添えて画像データ送信コマンドを前記撮影転送装置に送信する送信手段と、
前記撮影転送装置に設けられ、前記送信手段によって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送手段と、
前記遠隔撮影制御装置に設けられ、前記撮影画像転送手段によって転送された撮影画像を受け取る対応撮影画像取得手段と
を有することを特徴とする撮影システム。
【請求項２】
前記仮撮影画像記憶手段は、前記撮影指示が発生されたときのファインダ画像から仮撮影画像を生成し、該仮撮影画像を特定する識別情報とともに記憶することを特徴とする請求項１記載の撮影システム。
【請求項３】
前記仮撮影画像記憶手段は、前記撮影開始指示が発生された時点から撮影終了指示が発生された時点までのファインダ画像から仮動画撮影画像を生成し、該仮動画撮影画像を特定する識別情報とともに記憶することを特徴とする請求項１記載の撮影システム。
【請求項４】
前記遠隔撮影制御手段は、前記撮影転送装置へ撮影指示コマンドを送信する際に、該撮影指示コマンドに対応する撮影画像特定情報を前記撮影指示コマンドに付加して送信し、前記仮撮影画像記憶手段および前記撮影画像記憶手段は、前記識別情報として前記撮影画像特定情報を用いることを特徴とする請求項１記載の撮影システム。
【請求項５】
前記撮影画像特定情報は、少なくとも、撮影を指示した遠隔撮影制御装置を特定する情報と、該遠隔撮影制御装置でデータを特定する情報とからなることを特徴とする請求項４記載の撮影システム。
【請求項６】
前記撮影画像特定情報は、少なくとも、撮影を指示した撮影者を特定する情報と、撮影者ごとにデータを特定する情報とからなることを特徴とする請求項４記載の撮影システム。
【請求項７】
前記仮撮影画像記憶手段は、前記仮撮影画像が生成された現在時刻を示す情報を、前記識別情報として用いることを特徴とする請求項１記載の撮影システム。
【請求項８】
前記ファインダ画像転送手段は、ファインダ画像を、該ファインダ画像を特定するファインダ画像特定情報とともに前記遠隔撮影制御装置に転送し、
前記遠隔撮影制御手段は、前記撮影指示コマンドを送信する際に、該撮影指示コマンドに対応するファインダ画像に付与されているファインダ画像特定情報を前記撮影指示コマンドとともに送信し、
前記仮撮影画像記憶手段は、対応のファインダ画像のファインダ画像特定情報を前記識別情報として用いることを特徴とする請求項１記載の撮影システム。
【請求項９】
前記撮影転送装置が、前記遠隔撮影制御装置から送られた削除指示に基づき、内部に記録された撮影画像を削除する撮影画像削除手段をさらに有し、
前記遠隔撮影制御装置が、前記対応撮影画像取得手段によって前記転送された撮影画像が受け取られたとき、前記撮影画像削除手段に該撮影画像を削除させる遠隔撮影画像削除手段をさらに有することを特徴とする請求項１記載の撮影システム。
【請求項１０】
前記遠隔撮影制御装置が、前記対応撮影画像取得手段によって前記転送された撮影画像が受け取られたとき、前記仮撮影画像記憶手段によって記憶された該転送された撮影画像に対応する仮撮影画像を、該転送された撮影画像で置き換える撮影画像置換手段をさらに有することを特徴とする請求項１記載の撮影システム。
【請求項１１】
前記撮影転送装置が、前記遠隔撮影制御装置から送られた削除指示に基づき、内部に記録された撮影画像を削除する撮影画像削除手段をさらに有し、
前記遠隔撮影制御装置が、前記撮影画像削除手段により撮影画像が削除されたとき、該撮影画像に対応する仮撮影画像を前記仮撮影画像記憶手段から削除する仮撮影画像削除手段をさらに有することを特徴とする請求項１記載の撮影システム。
【請求項１２】
前記遠隔撮影制御装置が、
撮影画像のサムネイル及び仮撮影画像のサムネイルを一覧表示するサムネイル一覧表示手段と、
撮影画像及び仮撮影画像を表示する画像表示手段と
をさらに有することを特徴とする請求項１記載の撮影システム。
【請求項１３】
通信回線を介して互いに接続された撮影転送装置と遠隔撮影制御装置とから成り、前記撮影転送装置が前記遠隔撮影制御装置からの制御に従い撮影を行う撮影システムに適用される遠隔撮影方法において、
前記撮影転送装置が、ファインダ画像を前記遠隔撮影制御装置に転送するファインダ画像転送ステップと、
前記遠隔撮影制御装置が、前記ファインダ画像転送ステップによって転送されたファインダ画像を表示するファインダ表示ステップと、
前記遠隔撮影制御装置が、前記ファインダ表示ステップによって表示されたファインダ画像に基づき発生された撮影指示に対応して、前記撮影転送装置へ撮影指示コマンドを送信する遠隔撮影制御ステップと、
前記撮影転送装置が、前記遠隔撮影制御ステップによって送信された撮影指示コマンドに基づき、前記撮影転送装置に設けられた撮影手段に画像を撮影させる撮影制御ステップと、
前記遠隔撮影制御装置が、前記撮影指示が発生されたときのファインダ画像から仮撮影画像を生成し、該仮撮影画像を特定する識別情報とともに仮撮影画像記憶手段に格納する仮撮影画像記憶ステップと、
前記撮影転送装置が、前記撮影指示コマンドに基づき前記撮影手段によって行われた撮影によって得られた撮影画像を、前記識別情報とともに撮影画像記憶手段に格納する撮影画像記憶ステップと、
前記遠隔撮影制御装置が、前記仮撮影画像記憶手段に記憶された複数の仮撮影画像のうち、指定された仮撮影画像に対応する識別情報を取り出して、該識別情報を添えて画像データ送信コマンドを前記撮影転送装置に送信する送信ステップと、
前記撮影転送装置が、前記送信ステップによって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送ステップと、
前記遠隔撮影制御装置が、前記撮影画像転送ステップによって転送された撮影画像を受け取る対応撮影画像取得ステップと
を有することを特徴とする遠隔撮影方法。
【手続補正２】
【補正対象書類名】明細書
【補正対象項目名】０００９
【補正方法】変更
【補正の内容】
【０００９】
本発明はこのような問題点に鑑みてなされたもので、撮影直後に遠隔撮影制御装置から撮影転送装置へ次の撮影指示コマンドを速やかに送信することを可能にすることを目的とする。
【手続補正３】
【補正対象書類名】明細書
【補正対象項目名】００１０
【補正方法】変更
【補正の内容】
【００１０】
上記目的を達成するために、請求項１記載の発明によれば、ネットワークを介して撮影転送装置が遠隔撮影制御装置からの指示に従い撮影を行う撮影システムにおいて、前記撮影転送装置に設けられ、撮影手段によって撮影される被写体をユーザに確認させるためのファインダ画像を前記遠隔撮影制御装置に転送するファインダ画像転送手段と、前記遠隔撮影制御装置に設けられ、前記ファインダ画像転送手段によって転送されたファインダ画像を表示するファインダ表示手段と、前記遠隔撮影制御装置に設けられ、前記ファインダ表示手段によって表示されたファインダ画像に基づき発生された撮影指示に対応して、前記撮影転送装置へ撮影指示コマンドを送信する遠隔撮影制御手段と、前記遠隔撮影制御装置に設けられ、前記撮影指示が発生されたときのファインダ画像から仮撮影画像を生成し、該仮撮影画像を特定する識別情報とともに記憶する仮撮影画像記憶手段と、前記撮影転送装置に設けられ、前記撮影指示コマンドに基づき前記撮影手段によって撮影された撮影画像を、前記識別情報とともに記憶する撮影画像記憶手段と、前記遠隔撮影制御装置に設けられ、前記仮撮影画像記憶手段によって記憶された複数の仮撮影画像のうち、指定された仮撮影画像に対応する識別情報を取り出して、該識別情報を添えて画像データ送信コマンドを前記撮影転送装置に送信する送信手段と、前記撮影転送装置に設けられ、前記送信手段によって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送手段と、前記遠隔撮影制御装置に設けられ、前記撮影画像転送手段によって転送された撮影画像を受け取る対応撮影画像取得手段とを有することを特徴とする撮影システムが提供される。
また、上記目的を達成するために、請求項１３記載の発明によれば、通信回線を介して互いに接続された撮影転送装置と遠隔撮影制御装置とから成り、前記撮影転送装置が前記遠隔撮影制御装置からの制御に従い撮影を行う撮影システムに適用される遠隔撮影方法において、前記撮影転送装置が、ファインダ画像を前記遠隔撮影制御装置に転送するファインダ画像転送ステップと、前記遠隔撮影制御装置が、前記ファインダ画像転送ステップによって転送されたファインダ画像を表示するファインダ表示ステップと、前記遠隔撮影制御装置が、前記ファインダ表示ステップによって表示されたファインダ画像に基づき発生された撮影指示に対応して、前記撮影転送装置へ撮影指示コマンドを送信する遠隔撮影制御ステップと、前記撮影転送装置が、前記遠隔撮影制御ステップによって送信された撮影指示コマンドに基づき、前記撮影転送装置に設けられた撮影手段に画像を撮影させる撮影制御ステップと、前記遠隔撮影制御装置が、前記撮影指示が発生されたときのファインダ画像から仮撮影画像を生成し、該仮撮影画像を特定する識別情報とともに仮撮影画像記憶手段に格納する仮撮影画像記憶ステップと、前記撮影転送装置が、前記撮影指示コマンドに基づき前記撮影手段によって行われた撮影によって得られた撮影画像を、前記識別情報とともに撮影画像記憶手段に格納する撮影画像記憶ステップと、前記遠隔撮影制御装置が、前記仮撮影画像記憶手段に記憶された複数の仮撮影画像のうち、指定された仮撮影画像に対応する識別情報を取り出して、該識別情報を添えて画像データ送信コマンドを前記撮影転送装置に送信する送信ステップと、前記撮影転送装置が、前記送信ステップによって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送ステップと、前記遠隔撮影制御装置が、前記撮影画像転送ステップによって転送された撮影画像を受け取る対応撮影画像取得ステップとを有することを特徴とする遠隔撮影方法が提供される。
【手続補正４】
【補正対象書類名】明細書
【補正対象項目名】００１１
【補正方法】変更
【補正の内容】
【００１１】
本発明によれば、撮影直後に遠隔撮影制御装置から撮影転送装置へ次の撮影指示コマンドを速やかに送信することができ、撮影チャンスを逃すということがなくなる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】０２１０
【補正方法】変更
【補正の内容】
【０２１０】
このように、第８の実施の形態では、遠隔撮影制御装置６２の画像表示部の画面６２ｂ上に表示される撮影画像と仮撮影画像とがユーザに区別して表示され、これによって、仮撮影画像を見たユーザが、対応の撮影画像の取得を容易に指示することができる。
以上のように、撮影直後に画像データを転送することを一切行わない。これにより、撮影直後に遠隔撮影制御装置から撮影転送装置へ次の撮影指示コマンドを即刻送信することができ、撮影チャンスを逃すということがなくなる。
また、撮影画像の転送では、画像品質を確保するためにＦＴＰ／ＴＣＰ／ＩＰ等の通信方式が採用され、その結果、転送エラーが発生した場合には再送が行われ、これによって撮影画像転送にさらに時間がかかることになるが、撮影直後に撮影画像の転送を行わないようにすることで、撮影直後にこうした時間がかからなくて済む。
また、遠隔撮影制御装置側で撮影転送装置から撮影画像を取得しなくても、遠隔撮影制御装置側でユーザが各種操作（検索や再生）を行うことができ、これによっても、ネットワークにかかる負荷を低減することができる。
また、遠隔撮影制御装置側で、撮影画像の記憶に必要なストレージ容量を低減することができる。
また、撮影指示コマンドに、撮影画像と対応の仮撮影画像とで同一な撮影画像特定情報を付加することによって、仮撮影画像から撮影画像を特定することが容易となる。さらに、撮影画像を特定するための撮影画像特定情報を仮撮影画像（ファインダ画像）に含める必要が無いため、ファインダ画像表示のリアルタイム性が損なわれることがない。
また、撮影画像が動画である場合でも、同様の効果が得られる。
また、例えば、撮影者特定情報（ユーザＩＤ）を含む撮影画像特定情報（識別情報）を用いることで、同一ユーザ（撮影者）が複数の遠隔撮影制御装置を使って撮影転送装置を操作することもできる。
また、現在時刻を撮影画像特定情報（識別情報）として用いることで、撮影時点で撮影画像特定情報を遠隔撮影制御装置から撮影転送装置へ送信する必要がなくなる。
また、ファインダ画像にファインダ画像特定情報を付与することで、撮影時点で撮影画像特定情報を遠隔撮影制御装置から撮影転送装置へ送信する必要がなくなる。
また、撮影画像の取得後、撮影転送装置内の対応する撮影画像を削除し、遠隔撮影制御装置内の仮撮影画像及び仮撮影サムネイルを削除することで、それぞれの記憶装置で記憶領域を無駄に使うことを回避できる。
また、遠隔撮影制御装置内の仮撮影画像の削除に連動して、不要となる撮影転送装置内の対応する撮影画像を削除することで、撮影転送装置内の記憶装置で記憶領域を無駄に使うことを回避できる。
また、遠隔撮影制御装置内の表示装置に表示される撮影画像と仮撮影画像とを明確に区別して表示することができ、これにより、仮撮影画像から撮影画像の取得を容易に指示することができる。